(57)【要約】    【課題】感光体ドラムから現像ローラにトナーを移すリフレッシュ工程を行うことのできる画像形成装置において、リフレッシュ工程の実行時に、トナーが飛翔することを防止して、次のトナーの転写時に用紙が汚れないようにすること。    【解決手段】リフレッシュ制御部は、トナーが転写された用紙の枚数が、予め定める数になり（ステップＳ２でＹＥＳ）、このときの印字率の平均値Ｄが、予め定める値よりも小さい場合（ステップＳ３でＹＥＳ）、メモリーにフラッグを立てて、リフレッシュ工程の実行を予約する（ステップＳ４）。メモリーにフラッグが立てられた後の用紙へのトナーの転写が、両面記録モードと判別されなかった場合（ステップＳ５でＮＯ）、リフレッシュ制御部は、用紙へのトナーの転写の終了後の非転写期間に、リフレッシュ工程実行機構を動作させて、リフレッシュ工程を実行させる（ステップＳ６）。    【選択図】            図４
2006284806.tif 000002
【特許請求の範囲】
【請求項１】
感光体ドラムに対して現像ローラによりトナーを供給して、感光体ドラムに形成された静電潜像をトナー像に現像し、当該トナー像を記録媒体に転写する画像形成装置であって、現像ローラに担持されているトナーを感光体ドラムに移すリフレッシュ工程実行手段を備えた画像形成装置において、
記録媒体の両面にトナーを転写する両面記録モードであることを判別する判別手段と、
上記リフレッシュ工程実行手段の実行を予約し、予約後に行われた記録媒体へのトナーの転写が、判別手段によって両面記録モードと判別されなかったことに基づいて、記録媒体へのトナーの転写が終了した後の非転写期間にリフレッシュ工程実行手段を動作させるリフレッシュ制御手段と、
を有することを特徴とする画像形成装置。
【請求項２】
上記画像形成装置は、トナーが転写された記録媒体の枚数を計数する計数手段と、上記計数手段で計数された記録媒体における印字率の平均値を算出する印字率算出手段と、を含み、
上記リフレッシュ制御手段は、上記計数手段が予め定める数を計数し、かつ、そのときの上記印字率算出手段の算出する印字率の平均値が予め定める値よりも小さいときに、上記リフレッシュ工程実行手段の実行を予約することを特徴とする請求項１記載の画像形成装置。
【請求項３】
上記リフレッシュ制御手段は、予約後に行われた記録媒体へのトナーの転写が、判別手段によって両面記録モードと判別されたときであっても、その枚数が所定枚数以下であれば、記録媒体へのトナーの転写が終了した後の非転写期間にリフレッシュ工程実行手段を動作させることを特徴とする請求項１または２記載の画像形成装置。
【発明の詳細な説明】
【技術分野】
【０００１】
この発明は、現像ローラをリフレッシュすることのできる画像形成装置に関する。
【背景技術】
【０００２】
複写機などの画像形成装置には、感光体ドラムに形成された静電潜像にトナーを供給してトナー像に現像するための現像ローラを備えるものがある。このような画像形成装置では、画像形成動作を繰り返し行うことにより、現像ローラに担持されたトナーが繰り返し帯電され、帯電量が高くなることがある。現像ローラ近傍のトナーの帯電量が高くなると、他のトナーが帯電することを阻害するなどの理由により、カブリや印字濃度の低下などが生じるおそれがある。特に用紙への印字率が小さい場合には、１回の画像形成で現像ローラから感光体ドラムに供給されるトナーの量が少ないため、現像ローラの近傍のトナーが繰り返し帯電されることとなり、現像ローラ近傍のトナーの帯電量が高くなる。
【０００３】
そこで、用紙への印字率が所定の値を下回ったときに、現像ローラのトナーを感光体ドラム側に搬送して現像ローラの表面をリフレッシュして、現像ローラにトナーが滞留しないようにすることが提案されている（たとえば、特許文献１参照）。具体的には、画像形成を行っていない間に、リフレッシュ用の交番電界を感光体ドラムと現像ローラとの間に作用させて、現像ローラのトナーを感光体ドラム側に搬送するようにしている。
【特許文献１】特開２０００−３１０９０９号公報
【発明の開示】
【発明が解決しようとする課題】
【０００４】
ところで、画像形成装置には、両面印刷を行うことができるものがある。両面印刷は、用紙の表面に画像を形成した後、用紙を反転させて、裏面にも画像を形成することにより行われる。画像形成は、感光体ドラムのトナー像を静電的に用紙に転写し、さらに、用紙を加熱・加圧してトナー像を定着させることにより行われるため、表面に画像が形成された用紙は、帯電しているとともに、乾燥している。
【０００５】
このため、両面印刷時に、表面に画像が形成された用紙を反転させて再び感光体ドラムに送ると、感光体ドラム近傍の部材（たとえば、用紙の搬送を案内するためのガイド部材）と摩擦し、当該感光体ドラム近傍の部材が帯電してしまう。
その結果、両面印刷後の、ガイド部材などが帯電した状態でリフレッシュ工程を行うと、現像ローラから感光体ドラムに搬送されるトナーは、上記ガイド部材などに飛翔・付着し、次の画像形成時にそのトナーが用紙を汚すおそれがある。
【０００６】
この発明は、かかる背景のもとでなされたもので、用紙が汚れることを防止しつつ、リフレッシュ工程を実行することのできる画像形成装置を提供することを目的とする。
【課題を解決するための手段】
【０００７】
上記の目的を達成するための請求項１記載の発明は、感光体ドラム（６）に対して現像ローラ（１６）によりトナーを供給して、感光体ドラムに形成された静電潜像をトナー像に現像し、当該トナー像を記録媒体（Ｐ）に転写する画像形成装置（１）であって、現像ローラに担持されているトナーを感光体ドラムに移すリフレッシュ工程実行手段（２１）を備えた画像形成装置において、記録媒体の両面にトナーを転写する両面記録モードであることを判別する判別手段（２２）と、上記リフレッシュ工程実行手段の実行を予約し、予約後に行われた記録媒体へのトナーの転写が、判別手段によって両面記録モードと判別されなかったことに基づいて、記録媒体へのトナーの転写が終了した後の非転写期間にリフレッシュ工程実行手段を動作させるリフレッシュ制御手段（２５）と、を有することを特徴とする画像形成装置である。
【０００８】
なお、括弧内の英数字は、後述の実施形態における対応構成要素などを表す。以下、この項において同じ。
この構成によれば、予約後に行われた記録媒体へのトナーの転写が両面記録モードと判別されなかったことに基づいて、すなわち、予約後に片面記録が行われたことに基づいて、非転写期間にリフレッシュ工程が実行されるようになっている。これにより、記録媒体が汚れることを防止しつつ、リフレッシュ工程を実行することができる。
【０００９】
具体的には、通常、記録媒体への画像形成は、感光体ドラムに形成されたトナー像を記録媒体の表面に静電的に転写し、トナーが転写された記録媒体を加熱・加圧して、トナーを定着させることにより行われる。また、両面記録は、表面にトナーが転写・定着された後の記録媒体を反転させて、裏面に再びトナーを転写・定着させることにより行われる。このため、両面記録時には、表面にトナーが転写・定着されることにより、帯電・乾燥した記録媒体が、感光体ドラム側に再び搬送されることとなる。その結果、記録媒体は、感光体ドラムの近傍の部材（たとえば、ガイド部材）と摩擦することにより、当該感光体ドラムの近傍の部材を帯電させる。
【００１０】
このため、両面記録の後にリフレッシュ工程を実行すると、現像ローラから感光体ドラムに搬送されるトナーは、上記ガイド部材に飛翔・付着し、次の画像形成時にこのトナーが記録媒体を汚すおそれがある。
しかしながら、この発明の構成では、片面記録の後にリフレッシュ工程を実行するようにしている。これにより、リフレッシュ工程の実行の前に、トナーの転写・定着が未だ行われておらず、帯電・乾燥していない記録媒体によって、両面記録により帯電したガイド部材などの、感光体ドラムの近傍の部材を問題のないレベルに除電することができる。したがって、リフレッシュ工程の実行の際、現像ローラから感光体ドラムに搬送されるトナーは、感光体ドラムの近傍の部材に付着しにくくなり、次の画像形成時に記録媒体を汚してしまうことを防止できる。
【００１１】
請求項２記載の発明は、上記画像形成装置は、トナーが転写された記録媒体の枚数を計数する計数手段（２３）と、上記計数手段で計数された記録媒体における印字率の平均値（Ｄ）を算出する印字率算出手段（２４）と、を含み、上記リフレッシュ制御手段は、上記計数手段が予め定める数を計数し、かつ、そのときの上記印字率算出手段の算出する印字率の平均値が予め定める値よりも小さいときに、上記リフレッシュ工程実手段の実行を予約することを特徴とする請求項１記載の画像形成装置である。
【００１２】
この構成によれば、印字率の平均値が予め定める値よりも小さいときには、画像形成時に現像ローラから感光体ドラムに供給されるトナーが少なく、現像ローラ近傍のトナーが繰り返し帯電されて帯電量が高くなっていることにより、カブリや印字濃度の低下を生じるおそれがあり、リフレッシュ工程の実行が必要である。このように、リフレッシュ工程の実行が必要であるときにリフレッシュ工程の実行が可能となるので、適切な時期にリフレッシュ工程を実行することができる。
【００１３】
請求項３記載の発明は、上記リフレッシュ制御手段は、予約後に行われた記録媒体へのトナーの転写が、判別手段によって両面記録モードと判別されたときであっても、その枚数が所定枚数以下であれば、記録媒体へのトナーの転写が終了した後の非転写期間にリフレッシュ工程実行手段を動作させることを特徴とする請求項１または２記載の画像形成装置である。
【００１４】
この構成によれば、両面記録の枚数が少なければ、記録媒体と、ガイド部材などの感光体ドラム周辺の部材との摩擦による帯電量が少ないため、感光体ドラム周辺の部材への実質的なトナーの飛翔は生じていないものとして、リフレッシュ工程を実行することができる。これにより、リフレッシュ工程の実行が適切であると判断された予約後でも、片面記録が行われないなどの理由により、リフレッシュ工程が延々と実行されない状態を回避できる。したがって、リフレッシュ工程を適切な時期により確実に実行できる。
【発明を実施するための最良の形態】
【００１５】
以下には、図面を参照して、この発明の実施形態について具体的に説明する。
図１は、この発明の一実施形態にかかる画像形成装置としての複写機の概略構成を示す縦断面図である。図１を参照して、複写機１は、読み取った原稿の画像データに基づいて用紙Ｐ（記録媒体）に原稿画像を形成するためのものであり、原稿読み取り部２と、画像形成部３とを備えている。なお、図１中の矢印Ａ１，Ａ２は、用紙Ｐの搬送方向を示すものである。
【００１６】
原稿読み取り部２は、原稿を読み取って原稿の画像データを生成するためのものである。画像形成部３は、原稿読み取り部２で生成された画像データに基づいて、用紙Ｐに原稿画像を形成するためのものである。
画像形成部３は、用紙収容部５と、用紙搬送路Ｌ１と、感光体ドラム６と、現像装置７と、転写ローラ８と、定着装置９と、排出ローラ装置１０と、排出トレイ１１とを含んでいる。
【００１７】
複写機１における、用紙Ｐへの画像の形成は、以下のようにして行われる。すなわち、用紙収容部５に収容された用紙Ｐは、用紙搬送路Ｌ１内を搬送され、レジストローラ対１２に到達する。レジストローラ対１２に到達した用紙Ｐは、所定のタイミングで、搬送方向Ａ１の下流側に搬送され、転写位置Ｔに到達する。
転写位置Ｔは、感光体ドラム６と転写ローラ８との接触部（ニップ）に相当するものである。感光体ドラム６には、原稿読み取り部２で生成された画像データに基づく静電潜像が形成され、静電潜像は、現像装置７から供給された現像剤としてのトナー（１成分現像剤）によって現像され、これにより、トナー像が形成される。なお、現像剤として、トナーとキャリアとを含む２成分現像剤を用いてもよい。
【００１８】
転写位置Ｔに到達した用紙Ｐは、感光体ドラム６と転写ローラ８とに挟まれて、転写ローラ８の転写バイアスにより、感光体ドラム６のトナーを転写される。感光体ドラム６のトナーのうち、用紙Ｐに転写されなかった残留トナーは、クリーニング装置１３によって感光体ドラム６から除去される。転写位置Ｔを通過した用紙Ｐは、用紙搬送路Ｌ１内を搬送されて定着装置９に到達する。
【００１９】
定着装置９は、熱ローラ１４と圧ローラ１５とを有しており、用紙Ｐは、熱ローラ１４と圧ローラ１５との接触部（ニップ）間を通過するようになっている。これにより、用紙Ｐは、加熱・加圧されて、転写されたトナーが定着される。
定着装置９を通過した用紙Ｐは、用紙搬送路Ｌ１内を搬送されて、排出ローラ装置１０に到達する。用紙Ｐは、排出ローラ装置１０によって、排出トレイ１１に排出されるようになっている。
【００２０】
以上の動作は、用紙Ｐの表面（片面）に画像を形成する片面記録モードの場合の動作である。この複写機１は、片面記録モードに加え、用紙Ｐの表面と裏面の両面にトナーを転写して画像を形成する両面記録モードを備えている。片面記録モードと両面記録モードの切り替えは、たとえば、操作部（図示せず）を操作することにより可能となっている。また、操作部を操作することにより、トナーの転写を行う用紙Ｐの枚数（コピー枚数）を、１または複数枚の任意の枚数に設定することが可能となっている。
【００２１】
両面記録モードが選択されている場合の、用紙Ｐへの画像形成は以下のようにして行われる。すなわち、片面記録モードの場合と同様に、用紙Ｐは、感光体ドラム６や定着装置９などによって、表面にトナーが転写・定着される。
定着装置９を通過した用紙Ｐは、排出ローラ装置１０に到達する。排出ローラ装置１０に到達した用紙Ｐは、用紙搬送路Ｌ１の搬送方向Ａ１に関する後端が、排出ローラ装置１０に到達したときに、排出ローラ装置１０によって、搬送方向を逆転される。これにより、用紙Ｐは、用紙搬送路Ｌ１の搬送方向Ａ１に関する後端を先頭にして、用紙搬送路Ｌ２に送られる。
【００２２】
用紙搬送路Ｌ２は、用紙搬送路Ｌ１のうち、定着装置９と排出ローラ装置１０との間の第１の領域Ｂ１、および、搬送方向Ａ１に関するレジストローラ対１２の上流側の第２の領域Ｂ２の、それぞれに接続されており、第１の領域Ｂ１から用紙搬送路Ｌ２に送られた用紙Ｐは、搬送方向Ａ２に沿って、第２の領域Ｂ２に向けて搬送される。
用紙搬送路Ｌ２から用紙搬送路Ｌ１の第２の領域Ｂ２に戻された用紙Ｐは、表面と裏面とを反転された状態となり、この状態で、再び、用紙搬送路Ｌ１内を、搬送方向Ａ１に沿って搬送される。これにより、表面に原稿画像を形成したときと同様に、用紙Ｐの裏面にトナーの転写・定着が形成されて、裏面に画像が形成され、その後、排出ローラ装置１０によって排出トレイ１１に排出される。
【００２３】
図２は、図１の感光体ドラム６の周辺の拡大図である。図１および図２を参照して、現像装置７は、現像ローラ１６を含んでいる。現像ローラ１６は、感光体ドラム６に近接して配置され、互いの周面が対向している。現像ローラ１６には、現像装置７のハウジング１７内に収容されたトナーが供給されるようになっている。
現像ローラ１６には、現像バイアス電源１８が接続されており、現像バイアスが印加されている。これにより、現像ローラ１６は、一様に帯電され、ハウジング１７から供給されたトナーを静電的に担持している。
【００２４】
用紙Ｐへのトナーの転写時、感光体ドラム６は、所定の回転方向（図１、図２において、時計回り方向）に回転するようになっている。感光体ドラム６のうち、静電潜像の形成された領域が現像ローラ１６に最も近接したとき、現像ローラ１６に担持されているトナーは、感光体ドラム６の露光された部分に移され、静電潜像が現像されてトナー像が形成される。
【００２５】
感光体ドラム６に移されたトナーは、転写位置Ｔで、転写ローラ８の転写バイアスにより、静電的に用紙Ｐに転写される。
搬送方向Ａ１に関して、転写位置Ｔよりも上流側には、転写前ガイド１９，２０が設けられている。この転写前ガイド１９，２０は、用紙搬送路Ｌ１内を搬送される用紙Ｐを、転写位置Ｔに向けて案内するためのものであり、当該用紙Ｐを挟むように対にして設けられている。搬送方向Ａ１に関する転写前ガイド１９，２０の先端は、転写位置Ｔに近接している。
【００２６】
ここで、原稿読み取り部２で読み取られる原稿画像には、黒ベタ画像や、白紙に近い画像など、種々のものがある。このうち、白紙に近い原稿画像を用紙Ｐに形成する場合には、用紙Ｐの印字率（用紙Ｐの印字面の面積に対するトナー像の面積の割合）が、所定の値（たとえば、２％）より低いものとなる。
用紙Ｐへの印字率が低い場合には、トナーの転写時において、現像ローラ１６から感光体ドラム６へ移されるトナーの量は、わずかなものとなる。このため、現像ローラ１６近傍のトナーの大部分は、感光体ドラム６に移されずに現像ローラ１６の近傍に滞ったままとなる。
【００２７】
したがって、印字率が低い態様でトナーの転写を連続して行った場合などには、現像ローラ１６の近傍に同一のトナーが滞ったままとなり、そのトナーが繰り返し帯電されて帯電量が高いものとなる。これにより、他のトナーの帯電を妨げてしまうことなどが生じ、その結果、カブリや印字濃度の低下などが生じることがある。このような現像は、印字率が低いほど、顕著となる。
【００２８】
このような現像を回避するため、複写機１は、現像ローラ１６に担持されているトナーを感光体ドラム６に移すという、リフレッシュ工程を実行することができるようになっている。
具体的には、リフレッシュ工程実行機構２１（リフレッシュ工程実行手段）が備えられている。リフレッシュ工程実行機構２１は、上記した現像ローラ１６と、現像バイアス電源１８と、感光体ドラム６とを含んでおり、以下のようにしてリフレッシュ工程を実行するようになっている。
【００２９】
すなわち、用紙Ｐにトナーを転写した後のエージング時などの、非転写期間（用紙Ｐにトナーを転写しない期間）に、感光体ドラム６、および、現像ローラ１６を回転させつつ、現像バイアス電源１８により、現像ローラ１６と感光体ドラム６との間に、リフレッシュ用の交番電界を作用させる。
これにより、現像ローラ１６に担持されたトナーは、感光体ドラム６の表面に移される。感光体ドラム６に移されたトナーは、クリーニング装置１３によって感光体ドラム６から除去される。また、リフレッシュ工程を実行している間、転写ローラ８には、トナーと同極性のバイアス電圧が印加されており、転写ローラ８にトナーが付着しないようにされている。
【００３０】
この実施形態の特徴の１つは、トナーが転写された用紙Ｐの枚数が所定の値以上に達し、かつ、当該トナーが転写された用紙Ｐにおける印字率の平均値が、所定の値よりも小さい場合に、リフレッシュ工程実行機構２１の実行を予約し、予約後に両面記録が行われなかったことに基づいて、すなわち、予約後に片面記録が行われたことに基づいて、片面記録後の非転写期間に、リフレッシュ工程を実行する点にある。
【００３１】
こうすることにより、リフレッシュ工程を実行した際に、現像ローラ１６から感光体ドラム６に移されるトナーが転写前ガイド１９，２０などに飛翔・吸着されて、次のトナーの転写時に、前記吸着されたトナーが用紙Ｐに付着して、用紙Ｐを汚してしまうことを防止できる。
図３は、リフレッシュ工程の実行の制御を行うための電気的構成の要部を示すブロック図である。図３を参照して、複写機は、判別部２２（判別手段）と、カウンタ２３（計数手段）と、印字率算出部２４（印字率算出手段）と、リフレッシュ制御部２５（リフレッシュ制御手段）と、を有している。
【００３２】
判別部２２は、両面記録モード、および、片面記録モードのいずれが選択されているかを判別するためのものである。判別部２２は、リフレッシュ制御部２５と接続されており、両面記録モード、および、片面記録モードのいずれが選択されているかについて、リフレッシュ制御部２５に出力する。
カウンタ２３は、トナーが転写された用紙Ｐの枚数を計数するためのものである。カウンタ２３は、リフレッシュ制御部２５、および、印字率算出部２４のそれぞれに接続されており、用紙Ｐの計数値Ｃについて、リフレッシュ制御部２５、および、印字率算出部２４に出力する。
【００３３】
印字率算出部２４は、カウンタ２３で計数された用紙Ｐにおける印字率の平均値を算出するためのものであり、算出した印字率の平均値について、リフレッシュ制御部２５に出力する。
リフレッシュ制御部２５は、リフレッシュ工程実行機構２１の動作を制御するためのものであり、ＣＰＵ、ＲＡＭ、および、ＲＯＭを含んでいる。リフレッシュ制御部２５は、リフレッシュ工程実行機構２１（感光体ドラム、現像ローラ、現像バイアス電源）に接続されており、リフレッシュ工程実行機構２１の動作の開始・終了を行うことができるようになっている。このリフレッシュ制御部２５は、以下に説明するように、判別部２２、カウンタ２３、および、印字率算出部２４の出力に基づいて、リフレッシュ工程実行機構２１の動作の開始を行うようになっている。
【００３４】
図４は、リフレッシュ制御部２５によるリフレッシュ工程実行機構２１の動作開始の制御について説明するためのフローチャートである。図４を参照して、複写機１の電源がオンにされて、リフレッシュ制御部２５に電力が供給されると、リフレッシュ制御部２５は、カウンタ２３の計数値Ｃを、０にリセットする。（ステップＳ１）。
用紙Ｐへのトナーの転写（画像形成）が開始されると、リフレッシュ制御部２５は、カウンタ２３の計数値Ｃ、すなわち、トナーが転写された用紙Ｐの枚数を判定する（ステップＳ２）。
【００３５】
計数値Ｃが予め定める数、たとえば、５０以上（Ｃ≧５０）になると（ステップＳ２でＹＥＳ）、リフレッシュ制御部２５は、そのときの計数された各用紙Ｐにおける印字率の平均値Ｄを判定する。（ステップＳ３）。
印字率の平均値Ｄが、予め定める値、たとえば、２％以上である場合（ステップＳ３でＮＯ）、リフレッシュ制御部２５は、ステップＳ１に戻り、カウンタ２３の計数値Ｃをリセットする。これにより、印字率の平均値Ｄが高くて、現像ローラ１６から感光体ドラム６へのトナーの移送が十分に行われていることにより、リフレッシュ工程が不要である場合に、リフレッシュ工程の実行をしないようにでき、トナーの余分な消費を防止することができる。
【００３６】
一方、印字率の平均値Ｄが、上記予め定める値よりも小さい（Ｄ＜２％）場合（ステップＳ３でＹＥＳ）、リフレッシュ制御部２５は、メモリーにフラッグを立て、リフレッシュ工程実行機構２１の動作を予約する（ステップＳ４）。メモリーにフラッグが立てられた後に、用紙Ｐへのトナーの転写が行われると、リフレッシュ制御部２５は、このトナーの転写が両面記録モードで行われたか否かを判定する（ステップＳ５）。
【００３７】
メモリーにフラッグが立てられた後のトナーの転写が、両面記録モードと判別さなかった場合（ステップＳ５でＮＯ）、すなわち、メモリーにフラッグが立てられた後の用紙Ｐへのトナーの転写が、片面記録モードと判別された場合、リフレッシュ制御部２５は、用紙Ｐへのトナーの転写の終了後の非転写期間に、リフレッシュ工程実行機構２１を動作させて、リフレッシュ工程を実行させる（ステップＳ６）。
【００３８】
リフレッシュ工程が行われた後、リフレッシュ制御部２５は、メモリーのフラッグを解除し（ステップＳ７）、ステップＳ１に戻る。
一方、メモリーにフラッグが立てられた後の用紙Ｐへのトナーの転写が、両面記録モードであると判別された場合（ステップＳ５でＹＥＳ）、リフレッシュ制御部２５は、当該両面記録モードによりトナーが転写された用紙Ｐの枚数を判定する（ステップＳ８）。
【００３９】
両面記録モードによりトナーが転写された用紙Ｐの枚数が、所定の値、たとえば、１０枚以下であれば（ステップＳ８でＹＥＳ）、リフレッシュ制御部２５は、用紙Ｐへのトナーの転写の終了後の非転写期間に、リフレッシュ工程実行機構２１を動作させて、リフレッシュ工程を実行させる（ステップＳ６）。
一方、両面記録モードによりトナーが転写された用紙Ｐの枚数が、上記所定の値より多い場合（ステップＳ８でＮＯ）、リフレッシュ制御部２５は、ステップＳ５に戻り、片面記録モードによりトナーの転写が行われる（ステップＳ５でＮＯ）まで、ステップＳ５とステップＳ８とを繰り返す。
【００４０】
以上説明したように、この実施形態によれば、予約後に行われた用紙Ｐへのトナーの転写が両面記録モードと判別されなかったことに基づいて、すなわち、予約後に片面記録モードが実行されたことに基づいて、非転写期間にリフレッシュ工程が実行されるようになっている。これにより、用紙Ｐが汚れることを防止しつつ、リフレッシュ工程を実行することができる。
【００４１】
具体的には、用紙Ｐへの画像形成は、感光体ドラム６に形成されたトナー像を用紙Ｐの表面に静電的に転写し、トナーが転写された用紙Ｐを加熱・加圧して、トナーを定着させることにより行われる。また、両面記録は、表面にトナーが転写・定着された後の用紙Ｐを反転させて、裏面に再びトナーを転写・定着させることにより行われる。
このため、両面記録モードのときには、表面にトナーが転写・定着されることにより、帯電・乾燥した用紙Ｐが、用紙搬送路Ｌ１の第１の領域Ｂ１（感光体ドラム６側）に再び搬送されることとなる。その結果、用紙Ｐは、感光体ドラム６の近傍の部材、たとえば、転写前ガイド１９，２０と摩擦することにより、当該転写前ガイド１９，２０を帯電させる。
【００４２】
このため、両面記録モードの後にリフレッシュ工程を実行すると、現像ローラ１６から感光体ドラム６に搬送されるトナーは、上記転写前ガイド１９，２０に飛翔・付着し、次の画像形成時に、このトナーが用紙Ｐを汚すおそれがある。
しかしながら、この実施形態では、片面記録モードの後にリフレッシュ工程を実行するようにしている。これにより、リフレッシュ工程の実行の前に、トナーの転写・定着が未だ行われておらず、帯電・乾燥していない用紙Ｐによって、両面記録により帯電した転写前ガイド１９，２０などの、感光体ドラム６の近傍の部材を問題のないレベルに除電することができる。
【００４３】
したがって、リフレッシュ工程の実行の際、現像ローラ１６から感光体ドラム６に搬送されるトナーは、転写前ガイド１９，２０に付着しにくくなり、次の画像形成時に用紙Ｐを汚してしまうことを防止できる。
また、印字率の平均値Ｄが予め定める値よりも小さいときには、画像形成時に現像ローラ１６から感光体ドラム６に供給されるトナーが少なく、現像ローラ１６近傍のトナーが繰り返し帯電されて帯電量が高くなっていることにより、カブリや印字濃度の低下を生じるおそれがあり、リフレッシュ工程の実行が必要である。このように、リフレッシュ工程の実行が必要であるときにリフレッシュ工程の実行が可能となるので、適切な時期にリフレッシュ工程を実行することができる。
【００４４】
さらに、リフレッシュ制御部２５は、予約後に行われた用紙Ｐへのトナーの転写が、判別部２２によって両面記録モードと判別されたときであっても、その枚数が所定枚数以下であれば、用紙Ｐへのトナーの転写が終了した後の非転写期間に、リフレッシュ工程実行機構２１を動作させるようにしている。
これにより、両面記録モードによりトナーが転写された用紙Ｐの枚数が少なければ、用紙Ｐと転写前ガイド１９，２０などの、感光体ドラム６周辺の部材との摩擦による帯電量が十分少ないため、感光体ドラム６周辺の部材への実質的なトナーの飛翔は生じていないものとして、リフレッシュ工程を実行することができる。
【００４５】
したがって、リフレッシュ工程の実行が適切であると判断され、メモリーにフラッグが立てられた後でも、片面記録が行われないなどの理由により、リフレッシュ工程が延々と実行されない状態を回避できる。その結果、リフレッシュ工程を適切な時期により確実に実行できる。
この発明は、以上の実施形態の内容に限定されるものではなく、プリンタなどの他の画像形成装置に適用することができるなど、請求項記載の範囲内において種々の変更が可能である。
【００４６】
たとえば、カウンタ２３の代わりに、現像ローラ１６の駆動時間を計測するタイマーなどの計時手段を設け、かつ、印字率算出部２４の代わりに、現像ローラ１６（現像装置７）に補給されたトナーの量を検知するトナーセンサなどの検知手段を設けてもよい。
この場合、タイマーによって計時された現像ローラ１６の駆動時間が所定の時間（たとえば、数１０分）となり、かつ、その所定の時間においてトナーセンサによって検知されたトナーの補給量が予め定める値よりも小さいときに、リフレッシュ制御部２５は、リフレッシュ工程実行機構２１の実行を予約する。
【００４７】
この場合、現像ローラ１６の駆動時間に対するトナーの補給量が少ないため、現像ローラ１６から感光体ドラム６に供給されるトナーが少なく、したがって、現像ローラ１６の近傍のトナーが繰り返し帯電されて帯電量が高いと判断することができる。
【図面の簡単な説明】
【００４８】
【図１】この発明の一実施形態にかかる画像形成装置としての複写機の概略構成を示す縦断面図である。
【図２】図１の感光体ドラムの周辺の拡大図である。
【図３】リフレッシュ工程の実行の制御を行うための電気的構成の要部を示すブロック図である。
【図４】リフレッシュ制御部によるリフレッシュ工程実行機構の動作開始の制御について説明するためのフローチャートである。
【符号の説明】
【００４９】
１  複写機（画像形成装置）
６  感光体ドラム
１６  現像ローラ
２１  リフレッシュ工程実行機構（リフレッシュ工程実行手段）
２２  判別部（判別手段）
２３  カウンタ（計数手段）
２４  印字率算出部（印字率算出手段）
２５  リフレッシュ制御部（リフレッシュ制御手段）
Ｄ  印字率の平均値
Ｐ  用紙（記録媒体）
【図１】
2006284806.tif 000003
【図２】
2006284806.tif 000004
【図３】
2006284806.tif 000005
【図４】
2006284806.tif 000006